(57)【要約】【課題】上下カットモード、左右カットモードにおいてＯＳＤ映像が欠けないようにする。【解決手段】モニターの画面モード（上下カットモード、左右カットモードなど）を取得し、映像ソースからのソース映像の上にＯＳＤ映像を重ねて表示するとき、前記画面モードに応じて該ＯＳＤ映像の表示位置をシフトしてＯＳＤ映像が欠けないようにする。【選択図】    図１
2004235947.tif 000002
【特許請求の範囲】
【請求項１】
ＯＳＤ映像を欠けないように表示するＯＳＤ映像表示方法において、
モニターの画面モードを取得し、
映像ソースからのソース映像の上にＯＳＤ映像を重ねて表示するとき、前記画面モードに応じて該ＯＳＤ映像の表示位置を制御する、
ことを特徴とするＯＳＤ映像表示方法。
【請求項２】
ＯＳＤ映像を欠けないように表示するＯＳＤ映像表示方法において、
モニターの画面モードを取得し、
映像ソースからのソース映像の上にＯＳＤ映像を重ねて表示するとき、前記画面モードに応じてＯＳＤ映像全体を縦方向あるいは横方向に圧縮する、
ことを特徴とするＯＳＤ映像表示方法。
【請求項３】
ＯＳＤ映像を欠けないように表示するＯＳＤ映像表示方法において、
モニターの画面モードを取得し、
ＯＳＤ映像が画面の一部に表示するものであるか、画面全体に表示するものであるか判断し、
ＯＳＤ映像が画面の一部に表示するものであれば、映像ソースからのソース映像の上に該ＯＳＤ映像を重ねて表示するとき、前記画面モードに応じて該ＯＳＤ映像の表示位置を制御し、
ＯＳＤ映像が画面全体に表示するものであれば、映像ソースからのソース映像の上に該ＯＳＤ映像を重ねて表示するとき、前記画面モードに応じてＯＳＤ映像全体を縦方向あるいは横方向に圧縮する、
ことを特徴とするＯＳＤ映像表示方法。
【発明の詳細な説明】
【０００１】
【発明の属する技術分野】
本発明は、ＯＳＤ映像表示方法に係わり、特に、ＯＳＤ映像を欠けないように表示するＯＳＤ映像表示方法に関する。
【０００２】
【従来の技術】
自動車の車室内に設けられた複数のリアモニターに映像を出したい場合があり、マスタユニットから映像信号をこれら複数のリアモニターに入力するようになっている。この場合、ＯＳＤ（Ｏｎ  Ｓｃｒｅｅｎ  Ｄｉｓｐｌａｙ）映像やスーパーインポーズ映像をソース映像に重ねて表示することがある。ここで，ＯＳＤ映像とは、ボリューム操作するとスーパーインポーズされるボリューム映像、チャンネル選択するとスーパーインポーズされる選択チャンネル映像、スペアナ表示要求によりスーパーインポーズされるスペクトルアナライザ表示など、キー操作、リモコン操作に応じた映像で、ビデオソースからのソース映像に重ねて表示される映像である。
【０００３】
図６はオーディオビジュアルシステムの第１の概略構成図であり、マスタユニット１は内蔵のＯＳＤデバイスを用いてソース映像にＯＳＤ映像を重ねてリアモニター２，３に入力して表示する。図７はオーディオビジュアルシステムの第２の概略構成図であり、マスタユニット１はＯＳＤデバイスを内蔵しておらず、拡張ユニット４内のＯＳＤデバイスがソース映像にＯＳＤ映像を重ねてリアモニター２，３に入力して表示する。また、拡張ユニット４はマスタユニット１、ＤＶＤプレーヤ５のソース切り換え制御も行う。
【０００４】
ところで、ワイド画面タイプのモニターには、表示モードの設定がありフル画面、ワイド画面、ノーマル画面などにアスペクト比を変えて表示することができる。図８の▲１▼に示すようにＯＳＤ表示エリアをワイド画面想定で画面いっぱいにデザインすると、リアモニター側の表示モードにより▲２▼に示すようにＯＳＤ表示エリアの上下部分がカットされたり（カット領域は黒く示してある）、▲３▼に示すようにＯＳＤ表示エリアの左右の部分がカットされたりする事がある。▲２▼のように上下部分がカットされる画面モードを上下カットモードといい、左右部分がカットされる画面モード左右カットモードという。
【０００５】
かかるカット部分が発生すると、ワイド画面想定で図９の▲１▼で示すようにＡ部分にＯＳＤ映像（選択チャンネル文字や音量表示マークなど）を表示するようにデザインすると、上下カットモードでは▲２▼のＡ′に示すようにＯＳＤ映像の上部分が欠け、左右カットモードでは▲３▼のＡ”で示すようにＯＳＤ映像の左部分が欠けてしまう。又、ワイド画面想定で図１０の▲１▼で示すように画面全体にＯＳＤ映像（スペアナ映像など）を表示するようにデザインすると、上下カットモードでは▲２▼に示すようにＯＳＤ映像の上下部分が欠け、左右カットモードでは▲３▼で示すようにＯＳＤ映像の左右部分が欠けてしまう。
【０００６】
ＯＳＤ映像の欠けを防止する技術として特開平７−１５４７１０号公報がある。この従来技術は、第１のアスペクト比（例えば４：３）の画像信号を、該第１のアスペクト比より横長の第２のアスペクト比（１６：９）を有する表示装置に表示する際、画面の左右両端周辺部に表示する映像を伸長する。従来技術は、かかる制御が行われているとき、元のＯＳＤ映像（たとえばアスペクト比４：３のスペアナ映像）を、伸長制御が行われていない中央部に移動させてそのまま表示するものである。
【特許文献１】特開平７−１５４７１０号公報
【０００７】
【発明が解決しようとする課題】
従来は、ＯＳＤ映像が図９、図１０に示すように欠ける問題がある。特許文献１に示した方法は、画像信号のアスペクト比（４：３）と表示装置のアスペクト比（１６：９）が異なる場合に適用するものであり、上記の問題を解決することはできない。
以上から本発明の目的は、上下カットモード、左右カットモードにおいてＯＳＤ映像が欠けないようにすることである。
本発明の別の目的は、ＯＳＤ映像が画面の一部に表示する場合であっても、画面全体に表示する場合であってもＯＳＤ映像が欠けないようにすることである。
【０００８】
【課題を解決するための手段】
上記課題は本発明によれば、ＯＳＤ映像を欠けないように表示するＯＳＤ映像表示方法において、モニターの画面モードを取得し、映像ソースからのソース映像の上にＯＳＤ映像を重ねて表示するとき、前記画面モードに応じて該ＯＳＤ映像の表示位置を制御することにより達成される。
【０００９】
又、上記課題は本発明によれば、ＯＳＤ映像を欠けないように表示するＯＳＤ映像表示方法において、モニターの画面モードを取得し、映像ソースからのソース映像の上にＯＳＤ映像を重ねて表示するとき、前記画面モードに応じてＯＳＤ映像全体を縦方向あるいは横方向に圧縮することにより達成される。
又、上記課題は本発明によれば、ＯＳＤ映像を欠けないように表示するＯＳＤ映像表示方法において、モニターの画面モードを取得し、ＯＳＤ映像が画面の一部に表示するものであるか、画面全体に表示するものであるか判断し、ＯＳＤ映像が画面の一部に表示するものであれば、映像ソースからのソース映像の上に該ＯＳＤ映像を重ねて表示するとき、前記画面モードに応じて該ＯＳＤ映像の表示位置を制御し、ＯＳＤ映像が画面全体に表示するものであれば、映像ソースからのソース映像の上に該ＯＳＤ映像を重ねて表示するとき、前記画面モードに応じてＯＳＤ映像全体を縦方向あるいは横方向に圧縮することにより達成される。
【００１０】
【発明の実施の形態】
（Ａ）本発明の概略
図１は本発明の第１の概略説明図であり、モニターの画面モード（上下カットモード、左右カットモード、カット無しモード）を取得し、映像ソースからのソース映像の上にＯＳＤ映像を重ねて表示するとき、前記画面モードに応じて該ＯＳＤ映像の表示位置を制御する。例えば、ワイド画面で（Ａ）で示すように表示領域１１にＯＳＤ映像（選択チャンネル文字”表示”）１０を表示するようにデザインした場合、▲１▼上下カットモードでは、（Ｂ）に示すようにＯＳＤ映像表示位置を表示領域１２に移動して表示し、▲２▼左右カットモードでは、（Ｃ）に示すようにＯＳＤ映像表示位置を表示領域１３に移動して表示する。このようにすれば、いずれのカットモードでもＯＳＤ映像の全体を見ることができ、しかも、文字は変形しないから容易にＯＳＤ映像を読み取ることができる。なお、（Ｂ）の上下カットモードでは垂直方向のシフト量ｙを算出し、（Ｃ）の左右カットモードでは水平方向のシフト量ｘを算出してＯＳＤ表示位置をシフトする。
【００１１】
図２は本発明の第２の概略説明図であり、モニターの画面モードを取得し、映像ソースからのソース映像の上にＯＳＤ映像を重ねて表示するとき、前記画面モードに応じてＯＳＤ映像全体を縦方向あるいは横方向に圧縮する。例えば、ワイド画面で（Ａ）で示すように画面全体にＯＳＤ映像（スペアナ表示）１０を表示するようにデザインした場合、▲１▼上下カットモードでは、（Ｂ）に示すようにＯＳＤ映像を縦方向に圧縮して表示し、▲２▼左右カットモードでは、（Ｃ）に示すようにＯＳＤ映像表示位置を横方向に圧縮して表示する。このようにすれば、いずれのカットモードでもＯＳＤ映像の全体を見ることができる。
【００１２】
図１と図２のＯＳＤ表示方法を組み合せてＯＳＤ映像を欠けないように表示することもできる。すなわち、▲１▼モニターの画面モードを取得し、▲２▼ＯＳＤ映像が画面の一部に表示するものであるか（図１（Ａ）参照）、画面全体に表示するものであるか（図２（Ａ）参照）判断し、▲３▼ＯＳＤ映像が画面の一部に表示するものであれば、図１に示す方法でＯＳＤ映像の表示位置を制御し、ＯＳＤ映像が画面全体に表示するものであれば、図２に示す方法でＯＳＤ映像全体を縦方向あるいは横方向に圧縮して表示する。
以上のようにすれば、ＯＳＤ映像が画面の一部に表示する場合であっても、画面全体に表示する場合であってもＯＳＤ映像が欠けないようにすることができる。
【００１３】
（Ｂ）第１実施例
図３は第１実施例の画像表示システムの構成図であり、モニター５１〜５３はソース映像を表示すると共に適宜ＯＳＤ映像をソース映像に重ねて表示する。各モニター５１〜５３は設定により画面モード（上下カットモード／左右カットモード／カット無しモードの別）を設定することが可能であり、該画面モードをマイコン５４に通知する。操作部５５はモニター５１〜５３のボリューム調整、チャンネル選択、ソース選択、スペアナ表示等の各種操作を行う。マイコンは各モニター５１〜５３から受信した画面モードを対応するＯＳＤ  ＩＣ（ＯＳＤ表示制御部）６１￣６３に入力すると共に、操作部５５の操作に応じたＯＳＤ映像データを各ＯＳＤ表示制御部６１￣６３に所定のインターフェースにしたがって入力する。なお、ＯＳＤ映像データは、画面の一部に表示するものであるか、画面全体に表示するものであるかを示す制御データを含むものとする。
【００１４】
映像セレクタ７１は、マイコンから入力するソース選択信号に基づいて、モニター毎にテレビジョン映像、ＤＶＤ再生映像、ＶＩＤＥＯ再生映像、その他の映像等を選択して各ＯＳＤ表示制御部６１￣６３にソース映像信号として入力する。
各ＯＳＤ  ＩＣ（ＯＳＤ表示制御部）６１￣６３は例えば三菱電機製ＩＣであるＣＡＴＶ用文字パターン表示コントローラＭ３５０６１−ＸＸＸＳＰ／ＦＰを用いることができる。ＯＳＤ表示制御部６１￣６３は、▲１▼入力されたソース映像信号（ワイド画面用の画像データ）を対応するモニター５１￣５３の画面モードに従ってサイズの変換を行って対応するモニター５１￣５３に入力する。また、各ＯＳＤ表示制御部６１￣６３は、▲２▼マイコン５４からの信号に基づいて、ＯＳＤ映像データを画面の一部に表示するものであるか、画面全体に表示するものであるか判断し、ＯＳＤ映像が画面の一部に表示するものであれば、図１に示す方法でＯＳＤ映像の表示位置を制御し、ＯＳＤ映像が画面全体に表示するものであれば、図２に示す方法でＯＳＤ映像全体を縦方向あるいは横方向に圧縮して対応するモニター５１￣５３に入力する。
ＯＳＤ映像を縦方向に圧縮するには、ＯＳＤ映像の縦方向の行数を減らし、横方向に圧縮するには、表示周波数を高速にしてＯＳＤ映像を出力することにより簡単に行うことができる。
【００１５】
図４は各ＯＳＤ表示制御部６１￣６３のＯＳＤ表示制御処理フローである。
各ＯＳＤ表示制御部６１￣６３は対応するモニター５１￣５３の画面モード信号をマイコン５４を介して受信して保存する（ステップ１０１）。ついで、ＯＳＤ映像を作成する必要があるかチェックし（ステップ１０２）、作成する必要がなければＯＳＤ表示制御処理を終了する。すなわち、ＯＳＤ表示制御部６１￣６３は、ソース映像信号（ワイド画面用の画像データ）を対応するモニター５１￣５３の画面モードに従ってサイズ変換して得られたソース映像を該モニター５１￣５３に入力して表示する。
【００１６】
ステップ１０２において、ＯＳＤ映像を作成する必要があれば、マイコン５４から受信したＯＳＤ映像データに含まれる制御データを参照し、ＯＳＤ映像データが画面の一部に表示するものであるか、画面全体に表示するものであるかを判断する（ステップ１０３）。ＯＳＤ映像データが画面の一部に表示するものであれば、図１に示す方法でＯＳＤ映像の表示位置を制御し（ステップ１０４）、ＯＳＤ映像が画面全体に表示するものであれば、図２に示す方法でＯＳＤ映像全体を縦方向あるいは横方向に圧縮して（ステップ１０５）、対応するモニター５１￣５３に入力する。各モニターはサイズ変換されている映像信号に基づいて映像を表示すると共に、ＯＳＤ映像信号に基づいてＯＳＤ画像を発生して重ねて表示する。
【００１７】
（Ｃ）第２実施例
図５は第２実施例の画像表示システムの構成図であり、図３の第１実施例と同一部分には同一符号を付している。異なる点は、第１実施例では各ＯＳＤ表示制御部（ＯＳＤ  ＩＣ）６１〜６３を各モニター５１〜５３に対応して専用に１つ設けたが、第２実施例では各モニター５１〜５３に共通に１つのＯＳＤ表示制御部（ＯＳＤ  ＩＣ）６０を設けている点である。ＯＳＤ表示制御部（ＯＳＤ  ＩＣ）６０は、各モニターに対して時分割的にＯＳＤ表示制御処理を行って各モニターにソース映像及びＯＳＤ映像を表示する。
【００１８】
【発明の効果】
以上、本発明によれば、上下カットモード、左右カットモードいずれの場合であってもＯＳＤ映像が欠けないようにできる。
又、本発明によれば、ＯＳＤ映像が画面の一部に表示する場合であっても、画面全体に表示する場合であってもＯＳＤ映像が欠けないようにできる。
【図面の簡単な説明】
【図１】本発明の第１の概略説明図である。
【図２】本発明の第２の概略説明図である。
【図３】第１実施例の画像表示システムの構成図である。
【図４】各ＯＳＤ表示制御部のＯＳＤ表示制御処理フローである。
【図５】第２実施例の画像表示システムの構成図である。
【図６】オーディオビジュアルシステムの第１の概略構成図である。
【図７】オーディオビジュアルシステムの第２の概略構成図である。
【図８】カットモード表示説明図である。
【図９】ＯＳＤ映像の第１の欠け説明図である。
【図１０】ＯＳＤ映像の第２の欠け説明図である。
【符号の説明】
１０ＯＳＤ映像（選択チャンネル文字”表示”）
１１ワイド画面におけるＯＳＤ映像表示領域
１２上下カットモードにおけるＯＳＤ映像表示領域
１３左右カットモードにおけるＯＳＤ映像表示領域
【図１】
2004235947.tif 000003
【図２】
2004235947.tif 000004
【図３】
2004235947.tif 000005
【図４】
2004235947.tif 000006
【図５】
2004235947.tif 000007
【図６】
2004235947.tif 000008
【図７】
2004235947.tif 000009
【図８】
2004235947.tif 000010
【図９】
2004235947.tif 000011
【図１０】
2004235947.tif 000012